(57)【要約】【課題】利用者が表示部を視認出来ない場合であっても、表示部のバックライトを利用することにより、容易にバーコード等の認識を行うことが出来る携帯端末装置等を提供すること。【解決手段】バックライトを備える表示部と、表示部側に設けられた撮影部とを有する携帯端末装置において、第１の色で背景領域を前記表示部に表示し、第１の領域と異なる第２の色で、当該背景領域にマーク領域を前記表示部に表示し、前記マーク領域を表示時にバックライトの輝度を上げるように制御し、撮影された画像に含まれている認識情報を認識する。【選択図】図１
2017103623.tif 000002
【特許請求の範囲】
【請求項１】
バックライトを備える表示部と、表示部側に設けられた撮影部とを有する携帯端末装置において、
第１の色で背景領域を前記表示部に表示し、第１の領域と異なる第２の色で、当該背景領域にマーク領域を前記表示部に表示する制御を行う表示制御手段と、
前記マーク領域を表示時に、前記バックライトの輝度を上げるよう制御する輝度制御部と、
前記撮影部で撮影された画像に含まれている認識情報を認識する認識部と、
を備えることを特徴とする携帯端末装置。
【請求項２】
前記表示制御手段は、前記認識情報の種類に応じて、前記マーク領域の形状を変更することを特徴とする請求項１に記載の携帯端末装置。
【請求項３】
撮影する対象物との距離を測定する距離測定部を更に有し、
前記表示制御手段は、前記距離測定部により測定された距離に応じて、前記マーク領域の表示位置を決定することを特徴とする請求項１又は２に記載の携帯端末装置。
【請求項４】
前記認識情報は、１次元バーコード、２次元コード、文字の何れかであることを特徴とする請求項１から３の何れか一項に記載の携帯端末装置。
【請求項５】
前記認識情報は、対象物に付されており、
前記輝度制御部により、前記バックライトの輝度を上げることにより、前記マーク領域が、前記対象物に付されている認識情報近傍に投影されることとなる請求項１から４の何れか一項に記載の携帯端末装置。
【請求項６】
バックライトを備える表示部と、表示部側に設けられた撮影部とを有する携帯端末装置における認識方法は、
第１の色で背景領域を前記表示部に表示し、第１の領域と異なる第２の色で、当該背景領域にマーク領域を前記表示部に表示する制御を行う表示制御ステップと、
前記マーク領域を表示時に、前記バックライトの輝度を上げるよう制御する輝度制御ステップと、
前記撮影部で撮影された画像に含まれている認識情報を認識する認識ステップと、
を有することを特徴とする認識方法。
【請求項７】
請求項６に記載された携帯端末装置の認識方法の各工程をコンピュータに実行させるためのプログラム。
【発明の詳細な説明】
【技術分野】
【０００１】
本発明は、携帯端末装置等に関する。
【背景技術】
【０００２】
従来から、例えば、携帯電話装置や、スマートフォン、携帯端末装置のカメラ機能を利用して、バーコードや文字等を認識する技術が知られている。このとき、バーコード等を認識しやすくするために、種々の発明がされている。
【０００３】
例えば、カメラ付き携帯電話機は、対象となる画像情報を入力するカメラ、バーコード読み取り時にＯＮ／ＯＦＦボタン操作により発光する小型のライト、情報を表示するＬＣＤ表示部、装置全体を制御するＣＰＵからなる制御部を備え、制御部は、自然画やバーコードなど被写体に応じて撮影手順を切り替え、バーコード撮影に切り替えられた場合、バーコードの認識を行うとともに、認識された結果をユーザに通知し、認識された内容に基づいて所定の処理を実行する発明が開示されている（例えば、特許文献１参照）。
【先行技術文献】
【特許文献】
【０００４】
【特許文献１】特開２００７−３１８７７５号公報
【発明の概要】
【発明が解決しようとする課題】
【０００５】
従来から、バーコードを認識するためには、画面で撮影を確認し、バーコードが撮影されたことを確認することが一般的であった。しかし、撮影対象のバーコードが狭い場所や、高い場所に付されている場合には、利用者がそもそも表示画面を確認するのが難しいという問題があった。
【０００６】
とくに、倉庫などにおいて、荷物に貼付されたバーコードを読み取る場合、上述したように撮影する位置が難しい上に、周りが暗いために撮影も上手くいかないという問題点が生じていた。
【０００７】
上述した課題に鑑み、本発明が目的とするところは、利用者が表示部を視認出来ない場合であっても、表示部のバックライトを利用することにより、容易にバーコード等の認識を行うことが出来る携帯端末装置等を提供することである。
【課題を解決するための手段】
【０００８】
上述した課題に鑑み、本発明の携帯端末装置は、
バックライトを備える表示部と、表示部側に設けられた撮影部とを有する携帯端末装置において、
第１の色で背景領域を前記表示部に表示し、第１の領域と異なる第２の色で、当該背景領域にマーク領域を前記表示部に表示する制御を行う表示制御手段と、
前記マーク領域を表示時に、前記バックライトの輝度を上げるように制御する輝度制御部と、
前記撮影部で撮影された画像に含まれている認識情報を認識する認識部と、
を備えることを特徴とする。
【０００９】
また、本発明の認識方法は、
バックライトを備える表示部と、表示部側に設けられた撮影部とを有する携帯端末装置における認識方法であって、
第１の色で背景領域を前記表示部に表示し、第１の領域と異なる第２の色で、当該背景領域にマーク領域を前記表示部に表示する制御を行う表示制御ステップと、
前記マーク領域を表示時に、前記バックライトの輝度を上げるように制御する輝度制御ステップと、
前記撮影部で撮影された画像に含まれている認識情報を認識する認識ステップと、
を有することを特徴とする。
【発明の効果】
【００１０】
本発明によれば、バックライトを備える表示部と、表示部側に設けられた撮影部とを有する携帯端末装置において、第１の色で背景領域を前記表示部に表示し、第１の領域と異なる第２の色で、当該背景領域にマーク領域を前記表示部に表示し、前記マーク領域を表示時に、バックライトの輝度を上げるように制御する。撮影部と表示部とが同じ側に設けられていることから、バックライトの明るさにより、認識される対象部にマークが投影されることとなり、このマークを基準に認識情報を認識する位置に利用者は撮影することができる。したがって、利用者は表示部を見ることなく、容易に認識情報を認識することが可能となる。
【図面の簡単な説明】
【００１１】
【図１】システム全体の概略を説明するための図である。
【図２】第１実施形態における端末装置の機能構成を示すブロック図である。
【図３】第１実施形態における処理を説明するための動作フローである。
【図４】第１実施形態における動作例を説明するための図である。
【図５】第１実施形態における動作例を説明するための図である。
【図６】第１実施形態における動作例を説明するための図である。
【図７】第１実施形態における動作例を説明するための図である。
【図８】第２実施形態における処理を説明するための動作フローである。
【図９】第２実施形態における動作例を説明するための図である。
【図１０】第３実施形態における処理を説明するための動作フローである。
【図１１】第３実施形態における動作例を説明するための図である。
【図１２】第３実施形態における動作例を説明するための図である。
【発明を実施するための形態】
【００１２】
以下、本発明の実施の形態について図面を参照して説明する。なお、本実施形態では、一例として、本発明の携帯端末装置をスマートフォンの端末装置に適用して説明するが、当該装置に限定されるものではなく、他の情報端末装置や、通信装置等に適用しても良いことは勿論である。
【００１３】
［１．第１実施形態］
まず、第１実施形態について説明する。
【００１４】
［１．１  全体構成］
第１実施形態における全体構成について説明する。図１は、本実施形態を模式的に示した図である。利用者Ｐが、端末装置１０を利用して、対象物に付された認識情報を認識する場合について表している。本図では、認識情報としてバーコード（１次元シンボル）Ｂを認識している。
【００１５】
端末装置１０をディスプレイＬの面をバーコードＢに向けることにより、バックライトの明かりを利用して、識別マークＭがバーコードＢ上に投影される。利用者Ｐは、識別マークＭを見ながら、識別するバーコードＢの位置決めを行うことが可能となる。そして、最終的には、カメラＣ（内側カメラ）でバーコードＢが認識されることとなる。
【００１６】
［１．２  機能構成］
続いて、端末装置１０の機能構成について説明する。図２に示すように、端末装置１０は、制御部１００と、撮影部２００と、画像解析部３００と、表示操作部４００と、記憶部５００と、通信部６００と、音声入出力部７００とを備えている。
【００１７】
制御部１００は、端末装置１０の全体を制御するための機能部である。制御部１００は、記憶部５００に記憶されている各種プログラムを読み出して実行することにより各種機能を実現しており、例えばＣＰＵ（Central Process Unit）等により構成される。
【００１８】
撮影部２００は、画像を撮影するための機能部であり、ＣＣＤ（Charge Coupled Device）イメージセンサ等を利用したカメラ機能で実現されている。本実施形態では、表示操作部４００と同じ側に設けられている内側撮影部２１０（内側カメラ）と、表示操作部４００と反対側に設けられている外側撮影部２２０（外側カメラ）とを有して構成されている。
【００１９】
画像解析部３００は、撮影部２００により撮影された画像を解析するための機能部である。例えば、画像に含まれている認識情報として、１次元バーコード（１次元シンボル）や、２次元コード（例えば、ＱＲコード（登録商標）、ＤａｔａＭａｔｒｉｘ、ＰＤＦ４１７のような２次元コード、２次元シンボル）を認識することが可能である。また、ＯＣＲ（Optical character recognition）機能等により、文字を認識することも可能である。画像解析部３００は、ソフトウェアで実現されている場合には、機能を有するプログラムを記憶部５００に記憶しておき、制御部１００が読み出して実行してもよい。
【００２０】
表示操作部４００は、利用者に対して各種情報を表示したり、利用者から操作入力を受け付けたりするための機能部である。表示操作部４００は、各種情報を表示する表示部４１０と、表示部４１０と一体に形成されたバックライト部４２０と、静電容量の変位や、圧力の変位等を利用して利用者の入力を検知する入力検知部４３０とを有している。これらの機能部は、例えばタッチパネルとして一体として形成されていてもよい。
【００２１】
記憶部５００は、端末装置１０の動作に必要な各種プログラムや、各種データが記憶されている機能部である。記憶部５００は、例えば、半導体メモリ等により構成されている。また、記憶される情報は、内臓メモリであっても、外部メモリであっても良く、例えば、クラウドサーバに記憶し、随時読み出す事としても良い。
【００２２】
また、記憶部５００には、撮影部２００により撮影される撮影画像データ５１０と、認識情報（コード）の種別に応じた表示用の画像データである読取範囲画像データ５２０と、撮影画像データのうち、読み取って認識に用いる範囲を記憶する読取範囲情報５３０と、が記憶されている。
【００２３】
通信部６００は、端末装置１０が他の端末装置や、サーバ等と通信を行うための機能部である。通信手段としては、３ＧやＬＴＥといったネットワークであっても良いし、ＩＥＥＥ８０２．１１ａ／ｂ／ｇ／ｎを利用した無線ＬＡＮネットワークで会っても良い。また、Ｂｌｕｅｔｏｏｔｈ（登録商標）や、ＺｉｇＢｅｅ（登録商標）といった近距離無線通信であっても良いし、ＵＳＢ等の有線通信であっても良い。
【００２４】
音声入出力部７００は、端末装置１０において、音（音声）を出力したり、入力したりする機能を実現するための機能部である。例えば、音声出力機能としてはスピーカが、音声入力機能としてはマイクが利用される。なお、音声入出力部７００は、従来から利用されるものの何れかを利用すれば良い。
【００２５】
［１．３  処理の流れ］
つづいて、本実施形態の処理の流れについて、図３を用いて説明する。図３は、バーコード等を認識可能な機能を有するカメラアプリケーション（撮影アプリ）を起動した場合の処理の流れの一例である。このアプリケーションは、バーコードを撮影するときに、「投影バーコード撮影」機能と、「バーコード撮影」機能とが選択可能である。また、従来のカメラ撮影機能も実行可能である。
【００２６】
そこで、カメラアプリケーションの機能のうち、投影バーコード撮影機能が選択されると（ステップＳ１０２；Ｙｅｓ）、インカメラとして内側撮影部２１０を起動する（ステップＳ１０４）。
【００２７】
つづいて、投影マーカ画面を表示操作部４００（表示部４１０）に表示する（ステップＳ１０６）。具体的な例を説明すると、撮影画像のバーコード走査する箇所を赤いマーカ（ライン状の赤い表示）とし、周りを白とした画像を表示する。
【００２８】
ここで、バーコードを走査する場所が明確に表示されれば良いため、走査する場所と、他の場所とで異なる表示がされていることが重要である。すなわち、投影したときに明確となれば良いため、色としては他の色の組み合わせでも良い。
【００２９】
つづいて、バックライトの明るさを上げる（ステップＳ１０８）。バックライト部４２０を制御することにより、明るさを上げることで、より明確に投影されることとなる。
【００３０】
なお、投影された対象において、利用者が認識出来れば良いため、最大輝度に設定してもよいし、周りの明るさに応じて変化させても良いし、バッテリの残容量に応じて輝度を変更しても良い。また、バックライトの明るさを先に上げ、その後に投影マーカ画面を表示しても良いし、投影マーカ画面の表示と同時にバックライトの明るさを上げる制御を行ってもよい。
【００３１】
つづいて、撮影が開始される（ステップＳ１１０）。撮影された画像データに基づいて、バーコードが認識されれば（ステップＳ１１２）、認識された結果を出力する（ステップＳ１１４）。
【００３２】
なお、アプリケーションを終了した段階で、バックライトの明るさを元に戻したり、ＬＣＤマーカ画面表示を中止したりしてもよい。
【００３３】
また、カメラアプリケーションの機能のうち、バーコード撮影機能が選択されると（ステップＳ１０２；Ｎｏ→ステップＳ１２０；Ｙｅｓ）、アウトカメラとして外側撮影部２２０を起動する（ステップＳ１２２）。ここで、表示部４１０には、外側撮影部２２０で撮影している画像が表示される（ステップＳ１２４）。このときは、バックライトの明るさは標準（例えば、利用者が設定した任意の設定値）となっている（ステップＳ１４６）。そして、撮影された後にバーコードが認識されれば結果が出力されることとなる（ステップＳ１１０〜ステップＳ１１４）。
【００３４】
なお、通常のカメラ撮影の機能を利用することも可能である（ステップＳ１０２；Ｎｏ→ステップＳ１２０；Ｎｏ→ステップ１３０）。なお、当該機能は、従来のカメラ撮影の機能であるため、本明細書で説明は省略する。
【００３５】
［１．３  動作例］
つづいて、動作例について、図４を用いて説明する。図４は、端末装置１０の表示画面の遷移の一例を示した図である。カメラアプリケーションが起動した場合に、撮影モードの選択画面Ｗ１００が表示されている。
【００３６】
このとき、通常撮影Ｒ１００が選択されれば、通常のカメラ撮影が行われる。また、バーコード撮影Ｒ１０２が選択されれば、表示画面Ｗ１１０が表示され、バーコード撮影機能が実行される（図３のステップＳ１２０；Ｙｅｓ→ステップＳ１２２〜ステップＳ１２６、ステップＳ１１０〜Ｓ１１４）。この場合、外側撮影部２２０が利用され、外側撮影部２２０で撮影されたバーコードが、表示画面Ｗ１１０に表示される。
【００３７】
また、投影バーコード撮影Ｒ１０４が選択されれば、表示画面Ｗ１２０が表示され、投影バーコード撮影機能が実行される（図３のステップＳ１０２；Ｙｅｓ→ステップＳ１０４〜Ｓ１１４）。この場合、内側撮影部２１０が利用され、表示画面Ｗ１２０には、ＬＣＤマーカ画面表示が行われている。
【００３８】
具体的な動作を示したのが図５及び図６である。図５は横から見た模式図を、図６は実際にバーコードＢ１００に投影している状態の図である。
【００３９】
ここで、内側撮影部２１０により撮影した場合の撮影画像の範囲がＶ１０２であり、バーコードとして読取範囲がＶ１０４となっている。そして、読取箇所は、バーコードＢ１００が付されている場所であり、当該バーコード上に目印となるラインＭ１００が表示されている。例えば、本実施形態では、赤色のラインが表示される。
【００４０】
この赤色のラインは、表示部４１０に表示されるものである。すなわち、表示部４１０に表示される表示画面Ｗ１５０には、例えば白色の背景領域Ｒ１１０に、ライン状で赤色のＲ１１２が表示されている。
【００４１】
この表示部４１０は、バックライトを現在の設定より明るくする（例えば、最大輝度とする）ことにより、対象物に付されたバーコードに投影することが可能となる。そして、ラインＭ１００が、バーコード上に投影されるようにし、撮影することで、バーコードＢ１００を撮影画像に確実に含ませることが可能となる。そして、撮影画像に含まれているバーコードＢ１００を認識することが可能となる。なお、背景画像としては、明度が大きい画像を利用することが好ましく、また、Ｒ１１０と、Ｒ１１２とは差が明確となるような色を利用することが好ましい。
【００４２】
また、本実施形態の端末装置を利用することで、利用者が表示部を視認出来ないような環境であっても、容易にシンボル等を認識させることが可能となる。例えば、図７に示すように、狭い場所での利用や、高い場所での利用が考えられる。
【００４３】
なお、本実施形態は、認識するものとして、１次元シンボル（バーコード）を利用しているが、２次元シンボルであったり、数字、文字等であったりしても良いことは勿論である。
【００４４】
［２．第２実施形態］
つづいて、第２実施形態について説明する。第２実施形態は、第１実施形態とは異なる画像を投影する場合の実施形態である。
【００４５】
すなわち、第１実施形態では、投影（照射）する画像は、ライン状のものを例に取って説明した。しかし、認識する認識情報（コード）の種別によっては、投影するマーカはライン状では適さない場合がある。
【００４６】
例えば、第１実施形態で説明した１次元バーコードであれば問題無いが、２次元コードの場合は、もう少し大きい方が位置合わせをしやすくなる。本実施形態では、認識情報の種別により、投影するマーカを変更する実施形態である。
【００４７】
なお、第１実施形態と、機能構成は同一であるため、説明を省略する。また、第２実施形態の処理の流れは、第１実施形態のステップＳ１０４〜Ｓ１１２を、図８で置き換えたものである。第１実施形態と共通の処理は共通の符号を付して説明を省略し、第１実施形態との差異を中心に説明する。
【００４８】
インカメラ（内側撮影部２１０）を起動後（ステップＳ１０４）、バーコード種別は２次元コードか否かを判定する（ステップＳ２０２）。もし、２次元コードであれば、２次元コードに対応する投影用画像として記憶部５００に保存されている読取範囲画像データ５２０を取得する。例えばこの画像データが四角形の形状であれば、投影するマーカを、四角形の形状で表示する（ステップＳ２０２；Ｙｅｓ→ステップＳ２０４）。他方、２次元コードでない場合は、第１実施形態と同様のマーカ（例えば、ライン状のマーカ）を表示する。
【００４９】
ここで、２次元コードのときに表示される投影マーカは、ある範囲を投影できるものであればよい。例えば、本実施形態のように、四角形等の多角形の形状であっても良いし、円形や楕円形であっても良い。すなわち、ステップＳ２０６で表示される（第１実施形態で表示された）マーカに比べて、広範囲に投影されれば良い。
【００５０】
そして、バックライトの輝度を現在より明るくし（例えば、明るさを最大にする）、撮影を開始してバーコードを認識する（ステップＳ１０８〜ステップＳ１１２）。
【００５１】
本実施形態における動作例を図９に示す。図９（ａ）は、ライン状に表示されているマーカＭ２００であり、図９（ｂ）は、略四角形で表示されているマーカＭ２１０の例である。図から明らかなように、利用者としては、図９（ｂ）のように投影されているマーカの方が、２次元コードを読み取りやすいといった効果が期待出来る。
【００５２】
なお、上述した実施形態では、内側撮影部２１０を起動後にバーコードの種別を選択しているが、予め設定されたバーコードの種別に応じてマークを決定しても良いし、起動時に選択しても良い。また、内側撮影部２１０で取得されている画像データに基づいて、自動的にマークを変更しても良い。
【００５３】
［３．第３実施形態］
つづいて第３実施形態について説明する。第３実施形態は、被写体（シンボル）と、撮影位置によって、マーカの位置をずらす実施形態である。
【００５４】
なお、第１実施形態と、機能構成は同一であるため、説明を省略する。また、第３実施形態の処理の流れは、第１実施形態のステップＳ１０４〜Ｓ１１２を、図１０で置き換えたものである。第１実施形態と共通の処理は共通の符号を付して説明を省略し、第１実施形態との差異を中心に説明する。
【００５５】
インカメラ（内側撮影部２１０）を起動後、撮影距離測定処理を実行する（ステップＳ３０２）。そして、撮影可能距離であれば（ステップＳ３０４；Ｙｅｓ）、マーカ表示位置を決定する（ステップＳ３０６）。
【００５６】
ここで、撮影距離を測定する方法としては種々の方法が考えられる。例えば、カメラを２個配置し、２個のカメラで撮影した画像の差分により目標までの距離を測定しても良いし、予めバーコードの大きさが判明しているのであれば、撮影されたバーコードの大きさにより距離を測定してもよい。また、他の光源を利用したり、距離センサを利用したりしても良い。
【００５７】
また、マーカ表示位置の決定方法としては、利用者の使い勝手の良い場所にマーカが表示しやすいように決定する。例えば、距離１ｃｍ以上５ｃｍ未満なら画面上端から２０ピクセル下に表示するといった、固定の条件判断を用いたりする。
【００５８】
そして、ステップＳ３０６において決定された表示位置にマーカを表示するマーカ画面を生成して、表示部４１０に表示する（ステップＳ３０８）。
【００５９】
そして、バックライトを現在の明るさより明るくし（例えば、明るさを最大にする）、撮影を開始してバーコードを認識する（ステップＳ１０８〜ステップＳ１１２）。
【００６０】
本実施形態における動作例を図１１及び図１２に示す。図１１は、被写体が近い場合の動作例であり、図１２は被写体が遠い場合の動作例である。すなわち、図１１は、位置ｔ３より撮影位置ｔ１は手前と（近く）なっており、図１２は、位置ｔ３より撮影位置ｔ５は奥と（遠く）なっている。
【００６１】
この場合、図１１の表示画面Ｗ３１０に示すように、背景Ｒ３００に表示されるマークＲ３１０は、表示画面上部に表示されている。また、図１２の表示画面Ｗ３２０に示すように、マークＲ３３０は、画面中央に表示されている。
【００６２】
このようの、本実施形態によれば、被写体との撮影距離に応じて、マークを表示する位置を変更することにより、投影する場所を変更する事ができる。これにより、内側撮影部２１０との距離が変わり、撮影距離が近ければ内側撮影部２１０に近いところに、距離が遠ければ内側撮影部２１０と離れた位置にバーコード等認識対象を持ってくることが可能となる。
【００６３】
［４．第４実施形態］
つづいて第４実施形態について説明する。第４実施形態は、撮影するときに、表示画面を変更する場合について説明する。
【００６４】
すなわち、上述した実施形態において、撮影直前に表示部４１０に表示されているマークを消去する。すなわり、マークを表示しているのは、対象物に投影されることにより、位置決めに利用するためである。
【００６５】
これにより、例えば撮影時には、マークを消去し、背景のみ（例えば白色）を表示することで、均一の色を投影することが可能となる。
【００６６】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００６７】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【符号の説明】
【００６８】
１０  端末装置
１００  制御部
２００  撮影部
２１０  内側撮影部
２２０  外側撮影部
３００  画像解析部
４００  表示操作部
４１０  表示部
４２０  バックライト部
４３０  入力検出部
５００  記憶部
５１０  撮影画像データ
５２０  読取範囲データ
５３０  読取範囲情報
６００  通信部
７００  音声入出力部
【図１】
2017103623.tif 000003
【図２】
2017103623.tif 000004
【図３】
2017103623.tif 000005
【図４】
2017103623.tif 000006
【図５】
2017103623.tif 000007
【図６】
2017103623.tif 000008
【図７】
2017103623.tif 000009
【図８】
2017103623.tif 000010
【図９】
2017103623.tif 000011
【図１０】
2017103623.tif 000012
【図１１】
2017103623.tif 000013
【図１２】
2017103623.tif 000014